(57)【要約】【課題】  機密性の高い消去処理を提供する【解決手段】  給紙された前記記録媒体を搬送する搬送部と、前記搬送部中に設けられ、前記記録媒体の画像を消去する消去部と、機密性の高い記録媒体であることを示す情報を記憶する機密記憶部と、前記消去部によって消去された前記記録媒体のうち、機密性の高い記録媒体を保存する排紙部と、前記消去部によって消去された前記記録媒体のうち、前記排紙部に排紙される以外の記録媒体を保存する少なくとも１以上の他の排紙部と、前記機密記憶部に記憶する情報をもとに前記給紙部によって給紙された記録媒体が機密性の高い書類であると判断する場合、前記消去部によって消去された前記記録媒体を前記排紙部へ搬送するために前記搬送部を制御する制御部と、を有する消去装置。【選択図】図１
2015155163.tif 000002
【特許請求の範囲】
【請求項１】
給紙された前記記録媒体を搬送する搬送部と、
前記搬送部中に設けられ、前記記録媒体の画像を消去する消去部と、
機密性の高い記録媒体であることを示す情報を記憶する機密記憶部と、
前記消去部によって消去された前記記録媒体のうち、機密性の高い記録媒体を保存する排紙部と、
前記消去部によって消去された前記記録媒体のうち、前記排紙部に排紙される以外の記録媒体を保存する少なくとも１以上の他の排紙部と、
前記機密記憶部に記憶する情報をもとに前記給紙部によって給紙された記録媒体が機密性の高い書類であると判断する場合、前記消去部によって消去された前記記録媒体を前記排紙部へ搬送するために前記搬送部を制御する制御部と、
を有する消去装置。
【請求項２】
前記搬送部中に設けられ、前記記録媒体の画像を読取る読取部と、
前記制御部は、前記読取部にて消去前の前記記録媒体を読取り、読取られた画像中に前記機密記憶部に記憶する情報がある場合、前記消去部によって消去された前記記録媒体を前記排紙部へ搬送するよう前記搬送部を制御する
請求項１に記載の消去装置。
【請求項３】
前記他の排紙部は、少なくとも、再利用するための前記記録媒体を保存する再利用排紙部と、再利用できない前記記録媒体を保存する廃棄用排紙部とからなり、
前記制御部は、前記読取部によって消去前の前記記録媒体を読取り、読取られた画像中に前記機密記憶部に記憶する情報がない場合、消去後の前記記録媒体を読取り、前記記録媒体の状態に応じて、前記記録媒体を前記再利用排紙部又は前記廃棄用排紙部へ前記記録媒体を搬送するよう前記搬送部を制御する請求項１又は請求項２に記載の消去装置。
【請求項４】
複数のモードを選択する操作部と、
前記制御部は、前記操作部によって、前記記録媒体の画像の保存を行わずに消去を行うモードが選択された場合、前記読取部によって消去前の前記記録媒体を読取り、読取られた画像中に前記機密記憶部に記憶する情報があることを検出すると、前記消去部によって消去された前記記録媒体を前記排紙部へ搬送するよう前記搬送部を制御する
ことを特徴とする請求項１に記載の消去装置。
【請求項５】
前記制御部は、前記操作部によって、前記記録媒体の画像の保存を行った後に消去を行うモードが選択された場合、前記読取部によって読取られた消去前の前記記録媒体の画像中に前記機密記憶部に記憶する情報があることを検出すると、消去前の前記記録媒体の画像に保護処理を行う
ことを特徴とする請求項１乃至４に記載の消去装置。
【発明の詳細な説明】
【技術分野】
【０００１】
本発明の実施形態は、用紙上に印字した画像を消去する消去処理に関する。
【背景技術】
【０００２】
熱により用紙に消去処理を施し、画像の色を消す消去装置が知られている。この消去装置には、消去前に画像を残すために画像読取をする読取部と、画像を消去する消去部と、画像消去後に消去が正常に施されたか否かを判別するために前述の読取部で再度画像読取を行うものが知られている。しかしながら、機密性の高い用紙の消去処理に関して、よりセキュリティ性能の高い消去装置が望まれている。
【先行技術文献】
【特許文献】
【０００３】
【特許文献１】特開２０１０−１１３３３７号公報
【特許文献２】特開２０１３−０２００６９号公報
【発明の概要】
【発明が解決しようとする課題】
【０００４】
本発明の実施の形態が解決しようとする課題は、例えば、機密性の高い用紙の消去処理に関して、よりセキュリティ性能の高い消去装置を提供することである。
【課題を解決するための手段】
【０００５】
そこで上記課題を達成するため、本発明の実施形態では次のような手段を講じている。給紙された前記記録媒体を搬送する搬送部と、前記搬送部中に設けられ、前記記録媒体の画像を消去する消去部と、機密性の高い記録媒体であることを示す情報を記憶する機密記憶部と、前記消去部によって消去された前記記録媒体のうち、機密性の高い記録媒体を保存する排紙部と、前記消去部によって消去された前記記録媒体のうち、前記排紙部に排紙される以外の記録媒体を保存する少なくとも１以上の他の排紙部と、前記機密記憶部に記憶する情報をもとに前記給紙部によって給紙された記録媒体が機密性の高い書類であると判断する場合、前記消去部によって消去された前記記録媒体を前記排紙部へ搬送するために前記搬送部を制御する制御部と、を有する消去装置である。
【図面の簡単な説明】
【０００６】
【図１】本実施の形態における消去装置の断面図。
【図２】本実施の形態における消去装置のブロック図。
【図３】本実施の形態における基準情報ファイルの構成図。
【図４】本実施の形態における管理ファイルの構成図。
【図５】本実施の形態における消去ジョブのフローチャート。
【図６】本実施の形態における消去ジョブのフローチャート。
【発明を実施するための形態】
【０００７】
以下に本発明の実施の形態を図面を用いて説明する。
【０００８】
図１は、消去装置の断面図である。消去装置１００は、画像形成装置で画像形成された用紙（記録媒体）Ｐの画像を消去し、用紙Ｐの再利用を可能とする。消去装置１００は、給紙部１０、第１の搬送路１１、第２の搬送路１２、第１の読取部１３、第２の読取部１４、消去部１５、搬送ローラ１６、第１の第１の経路変更部１７、第２の経路変更部４０、第３の経路変更部５０、排紙部２３を有する。
【０００９】
給紙部１０は、用紙Ｐの画像を消去するために消去装置１００の内部へ給紙する。再利用する用紙Ｐは、例えば、消去可能な記録材料で画像形成された用紙である。尚、用紙はＡ３、Ａ４、Ｂ５等、様々なサイズであってよい。給紙部１０は、給紙トレイ２２及びピックアップローラ１８を有する。給紙トレイ２２は、消去を行う用紙Ｐを積載する。ピックアップローラ１８は、給紙トレイ２２ から用紙Ｐを１枚ずつ取り出し、第１の搬送路１１へ送り出す。
【００１０】
第１の搬送路１１、第２の搬送路１２は、複数の搬送ローラ１６を有し、搬送ローラ１６は駆動ローラと従動ローラの対で構成される。
【００１１】
第１の搬送路１１には第１の読取部１３と第２の読取部１４が設けられる。第１の読取部１３及び第２の読取部１４は二次元ＣＣＤスキャナを有する。この２つの読取部は、第１の搬送路１１を挟んで設けられる。このような構成により、第１の読取部１３は搬送される用紙の片面を読み取り、第２の読取部１４は第１の読取部１３の読み取る面の反対側の面を読み取る。第１の読取部１３及び第２の読取部１４で読み取った画像は、ＲＡＭ２０３又はＨＤＤ２１４に記憶する。
【００１２】
また、第１の読取部１３及び第２の読取部１４は、用紙Ｐの消去後、用紙Ｐが使用可能か否か、用紙Ｐの印字が消去されたか否かを判断するために、再度用紙Ｐの印刷面を読取る。つまり、第１の読取部１３及び第２の読取部１４による用紙Ｐの読み取りは２回行われる。
【００１３】
また、第１の読取部１３及び第２の読取部１４は、二次元ＣＣＤスキャナに限定されず、ＣＭＯＳセンサであっても良い。
【００１４】
第１の搬送路１１は、給紙部１０から、第１の読取部１３及び第２の読取部１４の下流側の分岐点を介して排紙部２３へと接続される。第２の搬送路１２は、第１の搬送路１１の第１の読取部１３及び第２の読取部１４の下流側の分岐点から分岐し、第１の搬送路１１の第１の読取部１３及び第２の読取部１４の上流側の合流点で合流する。分岐点には第１の経路変更部１７が配置される。
【００１５】
また、排紙部２３は第１の排紙部１９と第２の排紙部２０（廃棄用排紙部）及び第３の排紙部３０とからなる。そして、第１の搬送路１１は、第１の第１の経路変更部１７を介して搬送された用紙Ｐを、第１の排紙部１９又は第２の排紙部２０又は第３の排紙部３０へ排紙するための分岐点である第２の経路変更部４０と第３の経路変更部５０とを有する。第２の経路変更部４０は第１の排紙部と第２の排紙部への経路を切替える。第３の経路変更部５０は、第２の排紙部２０と第３の排紙部３０の経路を切替える。
【００１６】
第２の搬送路１２の搬送路中に消去部１５が配置される。消去部１５は、ローラ対２１、及びヒータ２０５を有する。ローラ対２１はヒータ２０５により加熱される。これにより、消去可能な画像形成材料を用いて形成された用紙Ｐの画像を加熱し、色材を消去（無色化）する。
【００１７】
なお、消去装置は、消去可能トナーや消去可能インク等の消去可能な色材により画像を形成された用紙Ｐに対し、画像の色を消す消去処理を施すが、消去可能な色材は、呈色性化合物、顕色剤、消去剤を含む。呈色性化合物は、例えばロイコ染料が挙げられる。顕色剤は、例えばフェノール類が挙げられる。消去剤は、加熱されると呈色性化合物と相溶し、顕色剤と親和性を有さない物質が挙げられる。消去可能な色材は、呈色性化合物と顕色剤との相互作用により発色し、消去温度以上の加熱により呈色性化合物と顕色剤との相互作用が絶たれるため、消去する。
【００１８】
図２は、消去装置１００、のブロック図である。消去装置１００の制御部であるＣＰＵ（Ｃｅｎｔｒａｌ  Ｐｒｏｃｅｓｓｉｎｇ  Ｕｎｉｔ）２００は、システムバス２０１を介してＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、第１の読取部１３、第２の読取部１４のＣＣＤセンサ２０４、消去部１５のヒータ２０５、外部からのデータの入力、外部装置へのデータの入出力をするためのインターフェース（Ｉ／Ｆ）２０６、第１の経路変更部１７を制御する第１の経路変更駆動部２０７、第２の経路変更部４０を制御する第２の経路変更駆動部２０８、第３の経路変更部５０を制御する第３の経路変更駆動部２０９、及び搬送ローラ１６を駆動する用紙搬送モータ２１１を制御する用紙搬送モータ制御駆動部２１０、操作部２１２、表示部２１３、ＨＤＤ２１４、カードリーダ２１５が接続される。また、ＣＰＵ２００とＲＯＭ２０２、ＲＡＭ２０３は制御部を形成する。また、第１の搬送路１１と第２の搬送路１２と搬送ローラ１６と用紙搬送モータ２１１と用紙搬送モータ制御駆動部２０９とが搬送部に相当する。
【００１９】
ＲＯＭ２０２には、ＣＰＵ２００を動作させるためのプログラム、用紙Ｐが再利用可能な否かの指針とするため用紙Ｐの印字率の閾値と、画像が消去されたか否かを判断するための濃度閾値とを記憶する。制御部はこの印字率の閾値と濃度閾値をもとに、画像消去後に消去が正常に施されたか否か、すなわち用紙Ｐが再利用可能であるか否かを判別する。
【００２０】
ＲＡＭ２０３には、プログラムによるデータ処理の作業領域となるワークエリアなどの様々なメモリエリアを動的に形成する。また、このＲＡＭ２０３には、機密書類フラグエリア、モードフラグエリア、画像エリア、再判定記憶エリアが形成される。機密書類フラグエリアは用紙Ｐが機密書類か否かの確認に用いる。本実施例では、この機密書類フラグエリアには０又は１のどちらか一つを記憶し、０の場合は用紙Ｐが機密書類ではなく、１の場合は用紙Ｐが機密書類であるとする。モードフラグエリアは後述の操作部２１２によって、選択された消去モードを記憶する。本実施例では２つの消去モードがある。１つは第１の読取部１３と第２の読取部１４によって用紙Ｐを読取って保存した後に消去する読取後消去モード。もう一つは用紙Ｐを保存せずに消去のみを行う消去のみモードである。読取後消去モードの場合は０、消去のみモードの場合は１をモードフラグエリアは記憶する。画像エリアは消去のみモードが選択されたとき、読取った画像を一時的に記憶するエリアである。再判定記憶エリアは消去後の用紙Ｐの画像データを記憶する記憶エリアである。
【００２１】
ＣＣＤセンサ２０４は、一列のラインセンサとして配置されており、用紙Ｐの濃淡を検出する。ヒータ２０５はＩＨヒータを用いる。消去部１５を用紙Ｐが通過する間にローラ対２１を介して、用紙Ｐに間接的にＩＨヒータからの熱を加えて色材を無色化する。
【００２２】
操作部２１２は各種キーを有し、表示部２１３は、消去装置１００の各種の処理モードを表示する。操作部２１２は、各種操作を入力する入力部である。表示部２１３はタッチパネル式でもよく、操作部２１２をかねても良い。消去を行う場合、操作者はこの操作部２１２を操作して、事前に読取後消去モードか消去のみモードかの選択を行う。
【００２３】
制御部は、第１の経路変更駆動部２０７を制御することにより、第１の経路変更部１７を駆動して、第１の搬送路１１から第２の搬送路１２へ用紙Ｐを搬送するよう振り分わける。また、制御部は第２の経路変更駆動部２０８を制御することにより第２の経路変更部４０を駆動させ、第１の搬送路１１から搬送される用紙Ｐを、第１の排紙部１９又は第２の排紙部２０へ搬送するよう振り分ける。同様に、制御部は第３の経路変更駆動部２０９を制御することにより第３の経路変更部５０を駆動させ、第２の経路変更部を経て第１の搬送路１１を搬送される用紙Ｐを、第２の排紙部４０又は第３の排紙部５０へ搬送するよう振り分ける。
【００２４】
ＨＤＤ２１４には、消去前の用紙Ｐを読取った画像を記憶する読取画像記憶エリアと管理ファイル２１４ａを有する。この読取画像記憶エリアはＩ／Ｆ２０６を通じてアクセス可能である。また、管理ファイル２１４ａは図３に示すように各操作者のＩＤ（ｉｄｅｎｔｉｆｉｃａｔｉｏｎ）とパスワードを対応付けて記憶する。この管理ファイル２１４ａはＩＤを記憶するＩＤエリアと対応するパスワードを記憶するパスワードエリアとから構成される。制御部はカードリーダ２１５からＩＤと対応するパスワードが入力された場合に、この管理ファイル２１４ａを参照する。より具体的には、カードリーダ２１５から入力されたＩＤとパスワードが入力される。そして制御部は入力されたＩＤをキーにして管理ファイル２１４ａのＩＤエリアを検索し、対応するパスワードエリアに記憶するパスワードを読み出す。制御部はカードリーダ２１５から入力されたＩＤとパスワードと、管理ファイル２１４ａから読み出したＩＤとパスワードを比較して、操作者の認証を行う。そして、管理ファイル２１４ａに記憶するＩＤと対応するパスワードに一致する場合に。機密情報の消去処理と読取処理を行えるようにする。また、消去前に読取った画像が、機密性の高い書類である場合、パスワードをかけて記憶する。このパスワードは管理ファイル２１４ａに記憶する操作者ＩＤに対応するパスワードである。また、ＨＤＤ２１４には用紙Ｐが機密性の高い書類か否かを判定するための基準情報を記憶する基準情報ファイル２１４ｂを有する（この基準情報ファイル２１４ｂが機密記憶部に相当する）。この基準情報は例えば図４に示すように特定の文字情報であってもよいし、マル秘マークや星マークなど、特定の記号であってもよい。
【００２５】
カードリーダ２１５は、消去装置１００にログインするためのＩＤとパスワードを記憶したカードを読み取る。なお、このカードリーダ９は非接触型ＩＣカードを読み取る非接触型ＩＣカードリーダでもよいし、磁気カードリーダでもよい。
【００２６】
本実施例ではカードリーダ２１５にてＩＤとパスワードを入力するが、例えば操作部２１２を操作して入力する方法考えられる。
【００２７】
以上のような構成を備える消去装置１００において、制御部は、予め設定されているプログラムに基づいて、図５と図６に示す消去ジョブを実行する。なお、操作者は操作部を操作し、モードを既に入力しているものとする。
【００２８】
まず、ＡＣＴ（ステップ）１にて、制御部はＲＡＭ２０３に記憶しているモードフラグエリアを参照する。０が記憶されている場合（ＡＣＴ１のＹｅｓ）、読取後消去モードが選択されたと判断する。読取後消去モードが選択された場合、以下ＡＣＴ２からＡＣＴ１７までの処理を行う。
【００２９】
まず、制御部は給紙部１０にセットされた用紙Ｐを給紙し（ＡＣＴ２）、第１の搬送路１１へ搬送する（ＡＣＴ３）。そして第１の搬送路１１内に設けられた第１の読取部１３と第２の読取部１４が用紙Ｐを読取り、ＨＤＤ２１４の読取画像記憶エリアに記憶する（ＡＣＴ４）。
【００３０】
続いて、ＨＤＤ２１４の基準情報ファイル２１４ｂに記憶する基準情報がＨＤＤ２１４の読取画像記憶エリアに記憶した用紙Ｐの画像データ中に含まれるかを、制御部が確認を行う（ＡＣＴ５）。
【００３１】
読取画像記憶エリアに記憶した画像データ中に、機密情報があると制御部が判定をすると（ＡＣＴ５のＹｅｓ）、表示部２１３にパスワードを入力するように表示し、パスワードの受付を待ち、認証を行う（ＡＣＴ６）。
【００３２】
より詳細には制御部のタイマー（ＣＰＵ２００が有するタイマー）にて一定時間が経過する、又は操作部２１２の操作によってキャンセルキーのキー信号が入力される。或いはカードリーダ２１５によってＩＤと対応するパスワードが入力された場合、制御部はＨＤＤ２１４に記憶する基準ファイルのＩＤエリアから入力されたパスワードを検索する。そして制御部はＩＤエリアに対応するパスワードエリアからパスワードを読み出して、カードリーダ２１５から入力されたＩＤとパスワードと比較して一致するか否かの認証を行う。
【００３３】
そして、一定時間が経過した、又は操作部２１２の操作によってキャンセルキーのキー信号が入力された。或いは、入力されたＩＤとパスワードがＨＤＤ２１４の基準ファイルに記憶するＩＤとパスワードと一致しなかった、又は入力されたＩＤがＨＤＤ２１４のＩＤエリアに存在しない場合などにより、認証ができなかった場合（ＡＣＴ６のＮｏ）、ＨＤＤ２１４の読取画像記憶エリアに記憶するＡＣＴ４にて読取った画像データを削除する（ＡＣＴ１１）。
【００３４】
そして、制御部は第１の経路変更駆動部２０７と第２の経路変更駆動部２０８と第３の経路変更駆動部２０９とを制御し、第１の経路変更部１７と第２の経路変更部４０と第３の経路変更部５０とを駆動させることにより経路を切替え、用紙Ｐを第３の排紙部３０へと搬送し（ＡＣＴ１２）、処理を終了する。
【００３５】
一方、カードリーダ２１５にて入力されたＩＤと対応するパスワードがＨＤＤ２１４に記憶されているＩＤとパスワードと一致する場合（ＡＣＴ６のＹｅｓ）、ＨＤＤ２１４の読取画像記憶エリアに記憶するＡＣＴ４にて読取った画像データに対して保護処理を行う。保護処理とは、具体的には当該ファイルに対して閲覧やコピーや移動を行う時、パスワードを入力しなければ当該処理を実行できないように、制御部が行うアクセス制限である。このパスワードはＡＣＴ６にてＨＤＤ２１４の基準ファイルから読み出したパスワードを用いる（ＡＣＴ７）。
【００３６】
また、制御部はＲＡＭ２０３の機密書類フラグエリアの値を１にセットする（ＡＣＴ８）。
【００３７】
その後、制御部は第１の経路変更駆動部２０７を制御することにより、第１の経路変更部１７の切替えによって第１の搬送路と第２の搬送路１２とを接続する。そして、制御部は用紙搬送モータ制御駆動部２１０を制御することによって、搬送ローラ１６を回転させ、用紙Ｐを第２の搬送路１２へ搬送する。制御部は第２の搬送路１２中にある消去部１５へ用紙Ｐを搬送する。用紙Ｐはヒータ２０５によって熱されたローラ対２１に当接する。用紙Ｐの画像形成材料は熱されたローラ対２１によって所定の温度に達して、消去される（ＡＣＴ９）。
【００３８】
消去部１５によって消去された用紙Ｐを、制御部は搬送ローラ１６によって第２の搬送路１２から第１の搬送路１１へ搬送する。制御部は第１の搬送路１１へ搬送した用紙Ｐを、第１の読取部１３にて読取れたかを検知する。第１の読取部１３にて用紙Ｐを読取ったことを検知したなら、ＲＡＭ２０３の機密書類フラグエリアに１が記憶されていることを確認する。ＲＡＭ２０３の機密書類フラグエリアに１が記憶されていることを確認した後、制御部は第１の経路変更駆動部２０７と、第２の経路変更駆動部２０８と、第３の経路変更駆動部２０９を制御して、用紙Ｐを第２の排紙部２０へ搬送し（ＡＣＴ１０）、処理を終了する。
【００３９】
他方、読取画像記憶エリアに記憶した画像データ中に、機密情報がないと制御部が判定をすると（ＡＣＴ５のＮｏ）、制御部はＡＣＴ９と同様の処理を行い、用紙Ｐを第２の搬送路１２へ搬送し、消去処理を行う（ＡＣＴ１３）。
【００４０】
消去処理を行った後、制御部は用紙Ｐを第１の搬送路１１へ搬送する。用紙Ｐを第１の搬送路１１に搬送した後、制御部は第１の読取部１３と第２の読取部１４を使用して、用紙Ｐの読取処理を再び行う。読み取った画像はＲＡＭ２０３の再判定記憶エリアに記憶する（ＡＣＴ１４）。
【００４１】
そしてＲＡＭ２０３の再判定記憶エリアに記憶する画像データと、ＲＯＭ２０２に記憶する用紙の印字率と濃度閾値を参照し、用紙Ｐが再利用可能かの判断を行う（ＡＣＴ１５）。
【００４２】
再利用可能であると判断するなら（ＡＣＴ１５のＹｅｓ）、第１の経路変更駆動部２０７と第２の経路変更駆動部２０８を制御して用紙Ｐを第１の排紙部１９へ排紙する（ＡＣＴ１６）。一方、再利用不可能であると判断するなら（ＡＣＴ１５のＮｏ）、第１の経路変更駆動部２０７と第２の経路変更駆動部２０８と第３の経路変更駆動部２０９を制御して、第３の排紙部３０へ排紙する（ＡＣＴ１７）。
【００４３】
また、ＲＡＭ２０３に記憶しているモードフラグエリアを参照して、１が記憶されていると制御部が判断する場合（ＡＣＴ１のＮｏ）、制御部は消去のみモードが選択されたと判断する。消去のみモードが選択された場合、以下の処理を行う。
【００４４】
御部は給紙部１０にセットされた用紙Ｐを給紙し（ＡＣＴ５１）、第１の搬送路１１へ搬送する（ＡＣＴ５２）。そして第１の搬送路１１内に設けられた第１の読取部１３と第２の読取部１４が用紙Ｐを読取り、ＲＡＭ２０３の画像エリアに記憶する（ＡＣＴ５３）。
【００４５】
続いて、ＨＤＤ２１４の基準情報ファイル２１４ｂに記憶する基準情報が、ＲＡＭ２０３の画像エリアに記憶さした用紙Ｐの画像データ中に含まれるかを制御部が確認を行う（ＡＣＴ５４）
【００４６】
ＲＡＭ２０３の画像エリアに記憶した画像データ中に、機密情報があると制御部が判定をすると（ＡＣＴ５４のＹｅｓ）、制御部はＲＡＭ２０３の機密書類フラグエリアに１をセットする（ＡＣＴ５５）。
【００４７】
そして、ＡＣＴ５５の後又はＲＡＭ２０３の画像エリアに記憶した画像データ中に、機密情報がないと制御部が判定をすると（ＡＣＴ５４のＮｏ）、前述のＡＣＴ９同様に、制御部は用紙Ｐを消去部１５へ搬送して消去処理を行う（ＡＣＴ５６）。
【００４８】
消去処理を行った後、制御部は用紙Ｐを第１の搬送路１１へ搬送する。そして用紙Ｐを第１の搬送路１１へ搬送する。用紙Ｐを第１の搬送路１１に搬送した後、制御部は第１の読取部１３にて用紙Ｐを読取る。第１の読取部１３で用紙Ｐを読取るとＲＡＭ２０３の機密書類フラグエリアを参照し、１が記憶されているかの判定を行う。そして、ＲＡＭ２０３の機密書類フラグエリアに１が記憶されていると制御部が判断すると（ＡＣＴ５７のＹｅｓ）、第１の経路変更駆動部２０７と第２の経路変更駆動部２０８と第３の経路変更駆動部２０９を制御して、第２の排紙部２０へ用紙Ｐを排紙する（ＡＣＴ５８）。
【００４９】
一方、ＲＡＭ２０３の機密書類フラグエリアに０が記憶されていると制御部が判断すると（ＡＣＴ５７のＮｏ）第１の読取部１３に加えて、第２の読取部１４を使用して、用紙Ｐの読取処理を再び行う。読み取った画像はＲＡＭ２０３の再判定記憶エリアに記憶する（ＡＣＴ６０）。
【００５０】
そしてＲＡＭ２０３の再判定記憶エリアに記憶する画像データと、ＲＯＭ２０２に記憶する用紙の印字率と濃度閾値を参照し、用紙Ｐが再利用可能かの判断を行う（ＡＣＴ６１）。
【００５１】
再利用可能であると判断するなら（ＡＣＴ６１のＹｅｓ）、第１の経路変更駆動部２０７と第２の経路変更駆動部２０８を制御して用紙Ｐを第１の排紙部１９へ排紙する（ＡＣＴ６２）。一方、再利用不可能であると判断するなら（ＡＣＴ６２のＮｏ）、第１の経路変更駆動部２０７と第２の経路変更駆動部２０８と第３の経路変更駆動部２０９を制御して、第３の排紙部３０へ排紙する（ＡＣＴ６３）。
【００５２】
以上により、本実施の形態では用紙Ｐが機密性の高い書類である場合、用紙が再利用可能か否かを問わず、消去後に専用の排紙部へ排紙する。このため、機密性の高い書類が再利用されることがないため、セキュリティの高い消去装置を提供することが可能となる。
【００５３】
また、本実施の形態では用紙Ｐが機密性の高い書類である場合は、消去後に専用の排紙部へ再利用可能か否かを問わずに排紙する。このため、排紙部にたまった書類を破棄するとき、既に機密性の高い書類に記載の情報は消去されているので、シュレッダーなどにかけたのちに、悪意ある物が裁断された機密書類を復元しようとしても困難を極めるため、セキュリティの高い消去装置を提供することが可能となる。
【００５４】
なお、本実施例では消去処理の一例として画像の色を消す記述をしたが、画像を消去するという意味を含んで良い。すなわち、本実施の形態に記載の画像消去装置は、熱により画像の色を消す装置に限定されるものではない。例えば、光の照射によってシート上の画像の色を消す装置でも、特殊シートに形成された画像の消す装置でもよい。或いは、画像消去装置は、シート上の画像を除去（消去）する装置であっても良い。画像消去装置は、シートを再利用可能にするために、シート上の画像を見えなくする構成であれば良い。
【００５５】
本発明の実施形態では、用紙Ｐが機密情報である場合、当該ファイルの閲覧や移動、又はコピーにアクセス制限がかけられる。このため、操作者が外部の端末をＩ／Ｆを経由して、アクセスすると、パスワードを求めるため、セキュリティの高い消去装置を提供することが可能となる。
【００５６】
また、本実施例ではモードの是非を問わずに用紙Ｐの画像を読込み、用紙Ｐが機密性の高い書類かの判定を行う。これによって機密性の高い書類を再利用の排紙部へ排紙することなくなるため、セキュリティの高い消去装置を提供することが可能となる。
【００５７】
なお、本実施例では、ＨＤＤ２１４の読取画像記憶エリアに読取った画像を保存して、パスワードによる保護を行ったが、機密性の高い書類を保護する保護処理は他の方法も当然に考えられる。例えば、外部のＰＣからアクセス可能なサーバなどに当該ファイルをアップロードして、このサーバ上において保護処理を行う場合も本権利に含まれる。
【００５８】
なお、本実施の形態では消去処理の一例として画像の色を消す記述をしたが、画像の方法はこれで限定されてない。すなわち、本実施の形態に記載の画像消去装置は、熱により画像の色を消す装置に限定されるものではない。例えば、光の照射によってシート上の画像の色を消す装置でも、特殊シートに形成された画像の消す装置でもよい。或いは、画像消去装置は、シート上の画像を除去（消去）する装置であっても良い。画像消去装置は、シートを再利用可能にするために、シート上の画像を見えなくする構成であれば良い。
【００５９】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００６０】
１３  第１の読取部
１４  第２の読取部
１５  消去部
１９  第１の排紙部
２０  第２の排紙部
３０  第３の排紙部
１００  消去装置
２１４  ＨＤＤ
２１４ａ  管理ファイル
２１４ｂ  基準情報ファイル
【図１】
2015155163.tif 000003
【図２】
2015155163.tif 000004
【図３】
2015155163.tif 000005
【図４】
2015155163.tif 000006
【図５】
2015155163.tif 000007
【図６】
2015155163.tif 000008